(57)【要約】【課題】操作性の良い地域別放送受信の設定機能を備えた情報処理装置および設定画面表示方法を提供する。【解決手段】操作入力手段２により受信地域が選択（変更）されると、表示処理手段３は、メニュー管理手段１から選択（変更）した受信地域に特化した設定項目をもつ地域別メニュー画面を選択し表示する。【選択図】      図１
2006238151.tif 000002
【特許請求の範囲】
【請求項１】
複数の国を対象に地域別放送受信が可能な受信機能を備えた情報処理装置に於いて、
受信地域を変更したとき、変更した受信地域に固有の設定項目をもつ地域別メニュー画面を表示する処理手段を具備したことを特徴とする情報処理装置。
【請求項２】
前記処理手段は、
設定内容を異にする複数種の地域別メニュー画面を管理するメニュー管理手段と、
受信地域を選択する操作入力手段と、
前記操作入力手段により受信地域が選択されたとき、前記メニュー管理手段から前記選択された受信地域に対応する地域別メニュー画面を選択し表示する表示処理手段と
を具備したことを特徴とする請求項１記載の情報処理装置。
【請求項３】
前記処理手段は、
前記地域別メニュー画面を呼び出す指示手段をさらに具備し、
前記表示処理手段は
前記地域別放送を受信しているときに前記指示手段の指示を受け付けて前記指示に従い前記受信している地域別放送の地域に対応した地域別メニュー画面を表示するメニュー呼出処理手段をさらに具備したことを特徴とする請求項２記載の情報処理装置。
【請求項４】
前記メニュー呼出処理手段は、前記指示手段の指示を受け付けたとき、前記受信している地域別放送の画面に代えて前記地域別メニュー画面を表示する請求項３記載の情報処理装置。
【請求項５】
前記メニュー管理手段が管理する前記複数種の地域別メニュー画面は、前記地域別メニュー画面毎に、複数の第１の設定項目と、前記第１の設定項目に付随する第２の設定項目とを有する請求項３記載の情報処理装置。
【請求項６】
前記複数種の地域別メニュー画面のうち、少なくとも一部の地域別メニュー画面の前記第２の設定項目には、前記受信地域を選択する操作入力手段となる地域設定項目が含まれる請求項５記載の情報処理装置。
【請求項７】
前記複数種の地域別メニュー画面のうち、少なくとも一部の地域別メニュー画面の前記第２の設定項目には、視聴制限の設定を行う視聴制限設定項目が含まれる請求項５記載の情報処理装置。
【請求項８】
前記複数種の地域別メニュー画面のうち、少なくとも一部の地域別メニュー画面の前記第２の設定項目には、言語の設定を行う言語設定項目が含まれる請求項５記載の情報処理装置。
【請求項９】
複数の国を対象に地域別放送受信が可能な情報端末の設定画面表示方法であって、
受信地域を選択するステップと、
前記受信地域が選択されたとき、選択された受信地域に固有の設定項目をもつ地域別メニュー画面を表示するステップと
を具備したことを特徴とする設定画面表示方法。
【発明の詳細な説明】
【技術分野】
【０００１】
本発明は、複数の国を対象に地域別放送受信が可能な受信機能を備えた情報処理装置および複数の国を対象に地域別放送受信が可能な情報端末の設定画面表示方法に関する。
【背景技術】
【０００２】
近年、ワールドワイド対応のテレビジョン放送受信システムが開発されている。
【特許文献１】米国特許第６，３４０，９９７号明細書
【発明の開示】
【発明が解決しようとする課題】
【０００３】
上記したワールドワイド対応のテレビジョン放送受信システムでは、複数国を対象とした地域別放送受信を可能にするため、受信地域の変更に伴って、受信地域に適応した、放送方式を含む各種の設定を行う必要がある。この設定をメニュー画面で行う場合、映像方式の違いや、各種法令等により搭載が義務付けられた機能等、地域によって必要な設定項目に差異がある。全ての設定項目をメニューに表示することも考えられるが、他地域に固有な不要機能のメニュー項目を表示することは、ユーザの設定操作上の混乱を招く虞がある。また、全ての設定メニュー項目を表示し、他の地域でのみ有効な設定項目が選択された場合には、ユーザに設定不可能である旨を通知する手段、または全ての設定メニュー項目を表示し、他の地域でのみ有効な設定項目については、メニューを選択不可状態とする手段等が考えられるが、これらの手段に於いても、特定の地域でしか意味を持たない機能がいずれの地域設定に於いても表示されることから、ユーザの操作上の混乱を招く虞がある。
【０００４】
本発明は上記実情に鑑みなされたもので、操作性の良い地域別放送受信の設定機能を備えた情報処理装置および設定画面表示方法を提供することを目的とする。
【課題を解決するための手段】
【０００５】
本発明は、複数の国を対象に地域別放送受信が可能な受信機能を備えた情報処理装置に於いて、受信地域を変更したとき、変更した受信地域に固有の設定項目をもつ地域別メニュー画面を表示する処理手段を具備したことを特徴とする。
【０００６】
又、本発明は複数の国を対象に地域別放送受信が可能な情報端末の設定画面表示方法であって、受信地域を選択するステップと、前記受信地域が選択されたとき、選択された受信地域に固有の設定項目をもつ地域別メニュー画面を表示するステップとを具備したことを特徴とする。
【発明の効果】
【０００７】
地域別放送受信に関する設定操作の操作性を向上できる。
【発明を実施するための最良の形態】
【０００８】
以下、図面を参照して、本発明の実施形態を説明する。  
本発明は、複数の国を対象に地域別放送受信が可能な受信機能を備えた情報処理装置に於いて、受信地域を変更（選択）したとき、変更（選択）した受信地域に特化したその地域に固有の設定項目をもつ地域別メニュー画面を表示する処理機能をもつ。この処理機能を実現した本発明の実施形態に係る情報処理装置の概要を図１に示す。この情報処理装置は、受信地域に特化した設定項目をもつ複数種の地域別メニュー画面を管理するメニュー管理手段１と、受信地域を選択（変更操作）する操作入力手段２と、操作入力手段２の地域選択（地域変更）に従い、メニュー管理手段１から選択（変更）した受信地域に特化した設定項目をもつ地域別メニュー画面を選択し表示する表示処理手段３と、地域別メニュー画面を呼び出して項目設定を可能にする指示手段４とを具備する。操作入力手段２により受信地域が選択（変更）されると、表示処理手段３は、メニュー管理手段１から選択（変更）した受信地域に特化した設定項目をもつ地域別メニュー画面を選択し表示する。操作入力手段２は、指示手段４により地域別メニュー画面の「地域設定」項目にて地域を選択し設定する操作に基づく処理手段、若しくは地域別放送受信を可能にするための特定の記録媒体を用いたセットアップ操作に基づく処理手段により実現される。指示手段４は、地域別放送受信時に於けるリモートコントローラのメニューボタンの操作、若しくはキーボード上の特定ファンクションキー（例えばＦ２キー）の操作に基づく処理手段により実現される。
【０００９】
本発明の実施形態に係る情報処理装置の構成を図２および図３に示す。この情報処理装置は、例えばノートブック型パーソナルコンピュータ１０により実現される。
【００１０】
図２はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１１】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、入力操作パネル１５、およびタッチパッド１６などが配置されている。
【００１２】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、チャンネル切替えボタン１５Ｂも含まれている。ＴＶ起動ボタン１５Ａは、本実施の形態に係るコンピュータ１０のシステム制御を司るオペレーティングシステムを起動させずに、テレビジョン放送番組データの受信および再生を行うためのボタンである。チャンネル切替えボタン１５Ｂは、視聴／記録すべきテレビジョン放送番組データのチャンネルを選択するためのボタンである。チャンネル切替えボタン１５Ｂがユーザによって押下される度に、視聴／記録すべきテレビジョン放送番組データのチャンネルが順番に切り替えられる。
【００１３】
コンピュータ本体１１の側面には、ＡＶ（オーディオ・ビデオ）コネクタセット１８およびＴＶアンテナコネクタ１９とが設けられている。ＴＶアンテナコネクタ１９には、ＴＶアンテナケーブルが接続される。ＡＶ（オーディオ・ビデオ）コネクタセット１８は、外部機器からＡＶデータを入力するためのコネクタ群であり、コンポジットビデオ入力コネクタ１８Ａ、Ｓビデオ入力コネクタ１８Ｂ、および２つのオーディオ入力コネクタ（オーディオ−Ｌ、オーディオ−Ｒ）１８Ｃを含む。さらにコンピュータ本体１１の側面には、赤外線受信部２０が設けられる。この赤外線受信部２０は、本コンピュータ１０をリモートコントロールするリモートコントローラ（図３、図４の符号２００参照）から出力された赤外線信号を受信する。
【００１４】
次に、図３を参照して、上記コンピュータ１０のシステム構成について説明する。
【００１５】
上記コンピュータ１０１は、ＣＰＵ１０１、ノースブリッジ１０２およびサウスブリッジ１０７、主メモリ１０３、ＢＩＯＳ−ＲＯＭ１１０、グラフィックコントローラ１０４、ハードディスクドライブ装置（ＨＤＤ）１０８、ＢＩＯＳ−ＲＯＭ１１０、エンベデッドコントローラ／キーボードコントローラ１１１、テレビジョン（ＴＶ）チューナ１２１、ＤＶＤ／ＣＤプレーヤ１２２、赤外線ポート（Ir port）１１３等の各種構成要素を有して構成される。
【００１６】
ＣＰＵ１０１は、本実施の形態に係るコンピュータ１０の動作を制御するために設けられたプロセッサであり、外部記憶装置であるハードディスクドライブ１０６から主メモリ１０３にロードされたシステム制御を司るオペレーティングシステム（ＯＳ）および各種アプリケーション／ユーティリティプログラムを実行する。また、ＣＰＵ１０１は、ＢＩＯＳ−ＲＯＭ１１０に格納されたＢＩＯＳ（Basic Input Output System）を実行する。
【００１７】
またＣＰＵ１０１は、ＴＶ起動ボタン１５Ａの操作、若しくはリモートコントローラ２００のＴＶボタンの操作に伴うテレビジョンチューナ１２１の受信モード下に於いて、例えばリモートコントローラのメニューボタン（図４の符号ｂ１０参照）が操作されたとき、若しくはメニューボタンに相当する所定のファンクションキー（例えばＦ２キー）が操作されたとき、メモリ１０３に格納されたメニュー表示処理ルーチン（ＲＴ）に従い、図５に示すメニュー表示処理を実行する。このメニュー表示処理は、メモリ１０３に格納された地域別メニュー画面格納部（ＭＴ）に格納された複数種の地域別メニュー画面を用いて実行される。
【００１８】
ノースブリッジ１０２はＣＰＵ１０１のローカルバスとサウスブリッジ１０７との間を接続するブリッジデバイスである。ノースブリッジ１０２には、主メモリ１０３をアクセス制御するメモリコントローラが内蔵されている。また、ノースブリッジ１０２にはグラフィックコントローラ１０４が接続されている。
【００１９】
主メモリ１０３には、ＣＰＵ１０１により実行される、オペレーティングシステム（ＯＳ）、および各種のアプリケーションプログラム、ユーティリティプログラム等が格納される。さらに主メモリ１０３には、図５に示すメニュー表示処理手順をもつメニュー表示処理ルーチン（ＲＴ）が格納されるとともに、このメニュー表示処理で用いる地域別メニュー画面が地域別メニュー画面格納部（ＭＴ）に格納される。主メモリ１０３にはその他の情報として、例えば本実施の形態に係る情報処理装置のユーザインタフェースの一部を担う画面制御プログラム、録画予約の設定並びにその設定に従うデータ管理機能等を実現する制御プログラム等、各種のプログラムが格納される。
【００２０】
グラフィックコントローラ１０４はＬＣＤ１７に表示する表示データの制御を行う。ＢＩＯＳ−ＲＯＭ１１０にはＣＰＵ１０１により実行されるＢＩＯＳが格納される。グラフィックコントローラ１０４はＴＶ起動ボタン１５Ａ、若しくはリモートコントローラ２００のＴＶボタンの操作に伴うテレビジョンチューナ１２１の受信モード下に於いて、例えばリモートコントローラ２００のメニューボタン（図４の符号ｂ１０参照）が操作されたとき、若しくはメニューボタンに相当する所定のファンクションキー（例えばＦ２キー）が操作されたとき、ＣＰＵ１０１の制御の下に、ＬＣＤ１７に、受信した番組の映像に代えて、図６（詳細は図７乃至図１０）に示す地域別メニュー画面を表示する。
【００２１】
サウスブリッジ１０７はノースブリッジ１０２に接続されるブリッジデバイスである。サウスブリッジ１０７には、ハードディスク装置１０８、ＢＩＯＳ−ＲＯＭ１１０、エンベデッドコントローラ／キーボードコントローラ１１１、テレビジョンチューナ１２１、ＤＶＤ／ＣＤドライブ１２２等が接続される。
【００２２】
ハードディスク装置１０８は、ＯＳ、デバイスドライバ、実行対象のアプリケーションプログラム、アプリケーションプログラムを実行することで生成されるデータ等が記憶されている。さらにハードディスク装置１０８には、メニュー表示処理ルーチン（ＲＴ）、地域別メニュー画面格納部（ＭＴ）に格納する地域別メニュー画面が記憶され、システム起動に伴い主メモリ１０３にロードされる。
【００２３】
エンベデッドコントローラ／キーボードコントローラ（ＥＣ／ＫＢＣ）１１１は、電力管理のためのエンベデッドコントローラと、キーボード１３を制御するためのキーボードコントローラとが集積された１チップマイクロコンピュータである。このＥＣ／ＫＢＣ１１１は、ユーザによるパワーボタン１４の操作に応じて本実施の形態に係るコンピュータ１０をパワーオン／パワーオフする。ＥＣ／ＫＢＣ１１１には、キーボード１３、赤外線ポート１１３、パワーボタン１４、および入力操作パネル１５等が接続される。
【００２４】
キーボード１３は、本実施の形態に係るコンピュータ１０における入力デバイスの一つである。この実施形態では、ＴＶ起動ボタン１５Ａ、若しくはリモートコントローラ２００のＴＶボタンの操作に伴うテレビジョンチューナ１２１の受信モード下に於いて、所定のファンクションキー（Ｆ２キー）が、リモートコントローラのメニューボタンに相当するメニューキーとして用いられる。
【００２５】
赤外線ポート１１３は、赤外線受信部２０がリモートコントローラ２００から受信した赤外線信号をコマンドデータに変換し、このコマンドデータをＣＰＵ１０１に伝達する。この際、赤外線ポート１１３は、上記コマンドデータを内蔵レジスタに格納してＣＰＵ１０１に対し割り込みを発生し、この割り込みにＣＰＵ１０１が応答したとき内蔵レジスタに保持したコマンドデータをバス上に出力する。
【００２６】
テレビジョンチューナ１２１はサウスブリッジ１０７に接続される。テレビジョンチューナ１２１は、リモートコントローラまたはチャンネル切替えボタン１５Ｂから視聴要求されたチャンネルのＴＶ放送番組データ（コンテンツ）を受信する。テレビジョンチューナ１２１は、全世界対応のテレビジョンチューナユニットとして実現されている。テレビジョンチューナ１２１は、複数種のＴＶ放送システム（例えば、ＮＴＳＣ−Ｍ／Ｍ、ＰＡＬ−／Ｉ、ＰＡＬ−Ｂ／Ｇ、ＳＥＣＡＭ−Ｌ／Ｌ’、ＰＡＬ−Ｄ／Ｄなど）をサポートしている。さらにテレビジョンチューナ１２１は、受信した映像データ（ＴＶ放送信号、外部機器からのビデオデータなど）を高画質化するための映像信号処理（例えばゴーストリダクション処理、輝度（Ｙ）／色（Ｃ）分離処理、ノイズリダクション処理等）を実行する機能を有している。テレビジョンチューナ１２１で受信されたテレビジョン番組はグラフィックコントローラ１０４を介してＬＣＤ１０６に表示される。
【００２７】
リモートコントローラ２００の外観構成およびボタンの配置例を図４に示す。この図４に示すリモートコントローラ２００は、コンピュータを起動制御するＰＣボタンｂ１、Ｔテレビジョン受信機能を起動制御するＴＶボタンｂ２、テレビジョンチューナ１２１の受信モード下に於いて、メニュー表示処理を指示するメニューボタンｂ１０等を具備する。テレビジョンチューナ１２１の受信モード下に於いて、上記メニューボタンｂ１０が操作されると、この操作による指示コマンドが、エンベデッドコントローラ／キーボードコントローラ１１１、サウスブリッジ１０７およびノースブリッジ１０２等を介してＣＰＵ１０１に渡され、ＣＰＵ１０１がこの指示コマンドを受けてメニュー表示処理ルーチン（ＲＴ）に従う図５に示すメニュー表示処理を実行する。この処理で、ＬＣＤ１７に表示される地域別メニュー画面の構成例を図６に示す。なお、この地域別メニュー画面の具体的な設定項目については、その一例を図７乃至図１０に示す。
【００２８】
ここで上記メニュー表示処理ルーチン（ＲＴ）に従う図５に示すメニュー表示処理について、図６に示す地域別メニュー画面を用いて説明する。
【００２９】
ＣＰＵ１０１は、ＴＶ起動ボタン１５Ａの操作、若しくはリモートコントローラ２００のＴＶボタンの操作に伴うテレビジョンチューナ１２１の受信モード下に於いて、例えばリモートコントローラ２００のメニューボタンｂ１０が操作されると（若しくはこのメニューボタンに相当するファンクションキー（Ｆ２）が操作されると）、メニュー表示処理ルーチン（ＲＴ）に従い、図５に示すメニュー表示処理を開始する。この処理では、地域別メニュー画面格納部（ＭＴ）から現在、設定（選択）されている地域の地域別メニュー画面を選択し、この地域別メニュー画面を受信番組に代えてＬＣＤ１７に表示する（ステップＳ１１）。例えば図６に示す、「映像設定」「音質設定」「地域設定」の項目をもつ地域１の地域別メニュー画面を表示する。
【００３０】
この地域１の地域別メニュー画面上で、「地域設定」の項目がリモートコントローラ２００若しくはキーボード１３の操作で選択されると、受信地域を変更する設定画面が表示される。この設定画面上で受信地域を変更すると（ステップＳ１２）、変更した地域の地域別メニュー画面を地域別メニュー画面格納部（ＭＴ）から選択し、この地域別メニュー画面を変更前の地域別メニュー画面に代えてＬＣＤ１７に表示する（ステップＳ１３）。例えば図６に示す、「映像設定」「音質設定」「地域設定」の項目をもつ地域１の地域別メニュー画面に代えて、地域別メニュー画面の「地域設定」で選択した地域に固有の「映像設定」「音質設定」「地域設定」および「視聴制限設定」の各項目をもつ地域２の地域別メニュー画面、若しくは「映像設定」「音質設定」「地域設定」および「言語設定」の各項目をもつ地域３の地域別メニュー画面を表示する。
【００３１】
このように、地域に特化した地域別メニュー画面を表示することで、ユーザは必要な機能のみを選択することができ、使い勝手が向上する。
【００３２】
上記した地域別メニュー画面の具体的な設定項目を図７乃至図１０に示している。図７乃至図１０に示す地域別メニュー画面は、それぞれ大項目と中項目とを有して構成される。図７および図８に示す地域別メニュー画面は、大項目として「Channel Setting」（チャンネル設定）、「Picture Setting」（画像設定）、「Audio Setting」（音質設定）、「Other Setting」（その他の設定）の各設定項目を具備する。また「Channel Setting」の中項目として「Channel Auto Scan」「Manual Channel Programming」「Fine tuning」の各項目を具備し、「Picture Setting」の中項目として「Image Setting」「Sharpness」「DNR」の各項目を具備し、「Audio Setting」の中項目としての中項目として「Surround Setting」「Surround Detail Setting」の各項目を具備する。また「Other Setting」の中項目として「Picture Size」「Beep Setting」「Default Setting」「Closed-Caption」「V-Chip」「SAP Function」「Country/Region Setting」の各項目を具備する。
【００３３】
図７は大項目から「Channel Setting」が選択されたときの地域別メニュー画面の表示例を示している。この「Channel Setting」が選択された状態では、この大項目に該当する中項目として「Channel Auto Scan」「Manual Channel Programming」「Fine tuning」がフォーカス表示される。図７では「Channel Auto Scan」がアクティブ状態にある項目として特定色等により強調表示される。
【００３４】
図８は選択した大項目が上記図７の「Channel Setting」から「Picture Setting」に遷移した場合の地域別メニュー画面の表示例を示している。この「Picture Setting」が選択された状態では、この大項目に該当する中項目として「Image Setting」「Sharpness」「DNR」がフォーカス表示される。
【００３５】
この図７、図８に示す地域別メニュー画面に於いて中項目「V-Chip」は番組（暴力、性描写等）の試聴制限機能を設定する設定項目であり、地域によっては不要な（使用されない）設定項目である。また「Country/Region Setting」の項目を選択すると、上述した「地域設定」が可能となる。
【００３６】
図９および図１０は地域によって相違する設定項目を例示している。図９および図１０に於いて、大項目Ｉ１の「Other Setting」に該当する中項目Ｉ２のうち、斜線部分が地域によって相違する設定項目である。図９に示す地域別メニュー画面（例えばアメリカ向けの地域別メニュー画面）では「V-Chip」を設定項目として必要とするが、図１０に示される「Display Launguage Setting」は設定項目として必要としない。一方、図１０に示す地域別メニュー画面（例えばカナダ向けの地域別メニュー画面）では「Display Launguage Setting」（表示言語（英／仏／…）設定）、「Keybord Setting」（キーボードの入力言語設定）等の設定項目を必要とするが、図９に示される「V-Chip」は設定項目として必要としない。なお、この図９および図１０に示す地域別メニュー画面は、それぞれ指定地域向けに作成した地域別メニュー画面であり、ワールドワイド対応の場合は「Country/Region Setting」の項目等が含まれる。
【００３７】
上記図９および図１０に示したような地域によって相違する設定項目を一つの地域別メニュー画面としてユーザに提示すると、有効な設定項目と無効な設定項目とが混在してユーザにかかる操作負担が大きく、操作性が悪い。これに対して上記した実施形態では、地域設定（選択）を行ったときに、設定（選択）した地域に特化した地域別メニュー画面を表示することで、設定に係るユーザの操作負担を軽減し、使い勝手を向上できる。
【００３８】
尚、本発明は上記実施形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】本発明の実施形態に係る情報処理装置の概要を示すブロック図。
【図２】本発明の実施形態に係る情報処理装置の外観構成を示す斜視図。
【図３】本発明の実施形態に係る情報処理装置の構成を示すブロック図。
【図４】図３に示すリモートコントローラのボタン配置例を示す図。
【図５】本発明の実施形態に係る処理の手順を示すフローチャート。
【図６】本発明の実施形態に係る動作を説明するための地域別メニュー画面の遷移図。
【図７】本発明の実施形態に係る地域別メニュー画面の設定項目例を示す図。
【図８】本発明の実施形態に係る地域別メニュー画面の設定項目例を示す図。
【図９】本発明の実施形態に係る地域別メニュー画面の設定項目例を示す図。
【図１０】本発明の実施形態に係る地域別メニュー画面の設定項目例を示す図。
【符号の説明】
【００４０】
１…メニュー管理手段、２…操作入力手段、３…表示処理手段、４…指示手段、１０…コンピュータ、１１…コンピュータ本体、１２…ディスプレイユニット、１３…キーボード（ＫＢ）、１４…パワーボタン、１５…入力操作パネル、１５Ａ…ＴＶ起動ボタン、１５Ｂ…チャンネル切替えボタン、１６…タッチパッド、２０…赤外線受信部、１７…ＬＣＤ、１０１…ＣＰＵ、１０２…ノースブリッジ、１０３…主メモリ、１０４…グラフィックコントローラ、１０７…サウスブリッジ、１０８…ハードディスク装置（ＨＤＤ）、１１０…ＢＩＯＳ−ＲＯＭ、１１１…エンベデッドコントローラ／キーボードコントローラ（ＥＣ／ＫＢＣ）、１１３…赤外線ポート（Ir port）、１２１…テレビジョン（ＴＶ）チューナ、１２２…ＤＶＤ／ＣＤプレーヤ、２００…リモートコントローラ、ｂ１…ＰＣボタン、ｂ２…ＴＶボタン、ｂ１０…メニューボタン、ＲＴ…メニュー表示処理ルーチン、ＭＴ…地域別メニュー画面格納部。
【図１】
2006238151.tif 000003
【図２】
2006238151.tif 000004
【図３】
2006238151.tif 000005
【図４】
2006238151.tif 000006
【図５】
2006238151.tif 000007
【図６】
2006238151.tif 000008
【図７】
2006238151.tif 000009
【図８】
2006238151.tif 000010
【図９】
2006238151.tif 000011
【図１０】
2006238151.tif 000012